(57)【要約】 【課題】  テレビジョン放送された番組を録画して再生する際に、コマーシャル映像等の広告情報を適切に差し替えて再生する録画再生装置等を提供する。【解決手段】  録画再生装置１０１の受信録画部で２０２は、テレビ番組を受信して録画し、情報取得部２０３は、番組の放送が完了して所定の時間が経過した後に、番組情報サーバから当該番組の情報を取得し、選択受付部２０６は、番組の情報が取得されている場合、番組の見出し情報を選択する選択入力を受け付け、断片再生部２０４は、録画番組のうち、選択された見出し情報に対応する断片の再生を行い、その中の広告情報は再生せずに代替情報の再生でかえることとし、番組再生部２０５は、番組の情報が取得されていない場合等に、当該番組全体を再生する。【選択図】  図２
2006054773.tif 000002
【特許請求の範囲】
【請求項１】
テレビジョン放送（有線放送によるものを含む。）される番組に対して、当該番組内でテレビジョン放送された広告情報の位置情報と、当該番組の断片の内容を表す見出し情報と当該断片の位置情報と、当該広告情報にかえて利用する代替情報と、を、当該番組のテレビジョン放送が完了し第１の時間が経過するまでに登録し、要求に応じて、当該登録された情報を提供する番組情報サーバと通信する録画再生装置であって、
テレビジョン放送される番組を受信して録画する受信録画部、
前記録画された番組のテレビジョン放送が完了し第２の時間が経過した後に、前記番組情報サーバに、当該番組に対して登録された情報を要求して取得する情報取得部、
前記録画された番組に対して登録された情報が取得されている場合、当該番組の見出し情報を表示して、いずれかの見出し情報を選択する選択入力を受け付ける選択受付部、
前記録画された番組のうち、前記受け付けられた選択入力に対応付けられる見出し情報に対応する断片の再生を行う断片再生部、
前記録画された番組に対して登録された情報が取得されていない場合、もしくは、前記入力受付部がいずれかの見出し情報を選択する選択入力を受け付けなかった場合、ユーザからの指示入力により、当該録画された番組を再生する番組再生部
を備え、
前記断片再生部は、当該断片を再生する場合、当該取得された広告情報の位置情報に基づき、当該録画された広告情報にかえて、前記取得された代替情報を再生する
ことを特徴とするもの。
【請求項２】
請求項１に記載の録画再生装置であって、  
当該見出し情報は、当該代替情報のいずれかに対応付けられ、
前記再生部は、当該録画された広告情報にかえて、当該断片に対応する見出し情報に対応付けられる代替情報を再生する
ことを特徴とするもの。
【請求項３】
請求項１または２に記載の録画再生装置であって、
前記情報取得部は、「当該第２の時間が経過した後」にかえて、「当該第２の時間にランダムに決定した余裕時間を加算した時間が経過した後」に、当該情報を要求して取得する
ことを特徴とするもの。
【請求項４】
テレビジョン放送（有線放送によるものを含む。）される番組に対して、当該番組内でテレビジョン放送された広告情報の位置情報と、当該番組の断片の内容を表す見出し情報と当該断片の位置情報と、当該広告情報にかえて利用する代替情報と、を、当該番組のテレビジョン放送が完了し第１の時間が経過するまでに登録し、要求に応じて、当該登録された情報を提供する番組情報サーバと通信する録画再生方法であって、
テレビジョン放送される番組を受信して録画する受信録画工程、
前記録画された番組のテレビジョン放送が完了し第２の時間が経過した後に、前記番組情報サーバに、当該番組に対して登録された情報を要求して取得する情報取得工程、
前記録画された番組に対して登録された情報が取得されている場合、当該番組の見出し情報を表示して、いずれかの見出し情報を選択する選択入力を受け付ける選択受付工程、
前記録画された番組のうち、前記受け付けられた選択入力に対応付けられる見出し情報に対応する断片の再生を行う断片再生工程、
前記録画された番組に対して登録された情報が取得されていない場合、もしくは、前記入力受付部がいずれかの見出し情報を選択する選択入力を受け付けなかった場合、ユーザからの指示入力により、当該録画された番組を再生する番組再生工程
を備え、
前記断片再生工程では、当該断片を再生する場合、当該取得された広告情報の位置情報に基づき、当該録画された広告情報にかえて、前記取得された代替情報を再生する
ことを特徴とするもの。
【請求項５】
請求項４に記載の録画再生方法であって、  
当該見出し情報は、当該代替情報のいずれかに対応付けられ、
前記再生部は、当該録画された広告情報にかえて、当該断片に対応する見出し情報に対応付けられる代替情報を再生する
ことを特徴とする方法。
【請求項６】
請求項４または５に記載の録画再生方法であって、
前記情報取得工程では、「当該第２の時間が経過した後」にかえて、「当該第２の時間にランダムに決定した余裕時間を加算した時間が経過した後」に、当該情報を要求して取得する
ことを特徴とするもの。
【請求項７】
コンピュータを、
請求項１から３のいずれか１項に記載の録画再生装置の各部として機能させる
ことを特徴とするプログラム。
【発明の詳細な説明】
【技術分野】
【０００１】
本発明は、テレビジョン放送された番組を録画して再生する際に、コマーシャル映像等の広告情報を適切に差し替えて再生するのに好適な録画再生装置、録画再生方法、ならびに、これらをコンピュータにて実現するプログラムに関する。
【背景技術】
【０００２】
近年、ハードディスクレコーダやＤＶＤ（Digital Versatile Disc）レコーダ等の大容量情報記憶媒体を用いたテレビジョン番組の録画再生装置が普及しつつある。このような録画再生装置については、たとえば、以下の文献に開示がされている。
【特許文献１】特開２００４−２１５１８３号公報
【０００３】
このような録画再生装置においては、コマーシャル映像等の広告情報をスキップ再生する機能が備えられたものがあり、ランダムアクセスが可能なことから、ビデオテープを用いた場合よりも利用者の待ち時間が短くて済むという利点を有する。
【発明の開示】
【発明が解決しようとする課題】
【０００４】
しかしながら、コマーシャル映像等の再生スキップが常態となってしまうと、テレビジョン放送のビジネスモデル自体に重大な影響を及ぼすこととなる。したがって、録画した番組を再生する際に、コマーシャル映像等の広告情報を、利用者にとっても不満の少ない手法で、適切に再生する技術が求められている。
【０００５】
本発明は、上記のような課題を解決するためになされたもので、テレビジョン放送された番組を録画して再生する際に、コマーシャル映像等の広告情報を適切に差し替えて再生するのに好適な録画再生装置、録画再生方法、これらをコンピュータにて実現するプログラムを提供することを目的とする。
【課題を解決するための手段】
【０００６】
以上の目的を達成するため、本発明の原理にしたがって、下記の発明を開示する。
【０００７】
本発明の第１の観点に係る録画再生装置は、テレビジョン放送（有線放送によるものを含む。）される番組に対して、当該番組内でテレビジョン放送された広告情報の位置情報と、当該番組の断片の内容を表す見出し情報と当該断片の位置情報と、当該広告情報にかえて利用する代替情報と、を、当該番組のテレビジョン放送が完了し第１の時間が経過するまでに登録し、要求に応じて、当該登録された情報を提供する番組情報サーバと通信し、受信録画部、情報取得部、選択受付部、断片再生部、番組再生部を備え、以下のように構成する。
【０００８】
すなわち、受信録画部では、テレビジョン放送される番組を受信して録画する。
【０００９】
一方、情報取得部は、前記録画された番組のテレビジョン放送が完了し第２の時間が経過した後に、番組情報サーバに、当該番組に対して登録された情報を要求して取得する。
【００１０】
さらに、選択受付部は、録画された番組に対して登録された情報が取得されている場合、当該番組の見出し情報を表示して、いずれかの見出し情報を選択する選択入力を受け付ける。
【００１１】
そして、断片再生部は、録画された番組のうち、受け付けられた選択入力に対応付けられる見出し情報に対応する断片の再生を行う。
【００１２】
一方、番組再生部は、録画された番組に対して登録された情報が取得されていない場合、もしくは、入力受付部がいずれかの見出し情報を選択する選択入力を受け付けなかった場合、ユーザからの指示入力により、当該録画された番組を再生する。
【００１３】
ここで、断片再生部は、当該断片を再生する場合、当該取得された広告情報の位置情報に基づき、当該録画された広告情報にかえて、取得された代替情報を再生する。
【００１４】
また、本発明の録画再生装置において、当該見出し情報は、当該代替情報のいずれかに対応付けられ、再生部は、当該録画された広告情報にかえて、当該断片に対応する見出し情報に対応付けられる代替情報を再生するように構成することができる。
【００１５】
また、本発明の録画再生装置において、情報取得部は、「当該第２の時間が経過した後」にかえて、「当該第２の時間にランダムに決定した余裕時間を加算した時間が経過した後」に、当該情報を要求して取得するように構成することができる。
【００１６】
本発明のその他の観点に係る録画再生方法は、テレビジョン放送（有線放送によるものを含む。）される番組に対して、当該番組内でテレビジョン放送された広告情報の位置情報と、当該番組の断片の内容を表す見出し情報と当該断片の位置情報と、当該広告情報にかえて利用する代替情報と、を、当該番組のテレビジョン放送が完了し第１の時間が経過するまでに登録し、要求に応じて、当該登録された情報を提供する番組情報サーバと通信し、受信録画工程、情報取得工程、選択受付工程、断片再生工程、番組再生工程を備え、以下のように構成する。
【００１７】
すなわち、受信録画工程では、テレビジョン放送される番組を受信して録画する。
【００１８】
一方、情報取得工程では、録画された番組のテレビジョン放送が完了し第２の時間が経過した後に、番組情報サーバに、当該番組に対して登録された情報を要求して取得する。
【００１９】
さらに、選択受付工程では、録画された番組に対して登録された情報が取得されている場合、当該番組の見出し情報を表示して、いずれかの見出し情報を選択する選択入力を受け付ける。
【００２０】
そして、断片再生工程では、録画された番組のうち、受け付けられた選択入力に対応付けられる見出し情報に対応する断片の再生を行う。
【００２１】
一方、番組再生工程では、録画された番組に対して登録された情報が取得されていない場合、もしくは、入力受付部がいずれかの見出し情報を選択する選択入力を受け付けなかった場合、ユーザからの指示入力により、当該録画された番組を再生する。
【００２２】
ここで、断片再生工程では、当該断片を再生する場合、当該取得された広告情報の位置情報に基づき、当該録画された広告情報にかえて、取得された代替情報を再生する。
【００２３】
また、本発明の録画再生方法において、当該見出し情報は、当該代替情報のいずれかに対応付けられ、再生部は、当該録画された広告情報にかえて、当該断片に対応する見出し情報に対応付けられる代替情報を再生するように構成することができる。
【００２４】
また、本発明の録画再生方法において、情報取得工程では、「当該第２の時間が経過した後」にかえて、「当該第２の時間にランダムに決定した余裕時間を加算した時間が経過した後」に、当該情報を要求して取得するように構成することができる。
【００２５】
本発明のその他の観点に係るプログラムは、コンピュータを上記録画再生装置として機能させ、または、コンピュータに上記録画再生方法を実行させるように構成する。
【００２６】
また、本発明のプログラムは、コンパクトディスク、フレキシブルディスク、ハードディスク、光磁気ディスク、ディジタルビデオディスク、磁気テープ、半導体メモリ等のコンピュータ読取可能な情報記憶媒体に記録することができる。
【００２７】
上記プログラムは、プログラムが実行されるコンピュータとは独立して、コンピュータ通信網を介して配布・販売することができる。また、上記情報記憶媒体は、コンピュータとは独立して配布・販売することができる。
【発明の効果】
【００２８】
本発明によれば、テレビジョン放送された番組を録画して再生する際に、コマーシャル映像等の広告情報を適切に差し替えて再生するのに好適な録画再生装置、録画再生方法、これらをコンピュータにて実現するプログラムを提供することができる。
【発明を実施するための最良の形態】
【００２９】
以下に本発明の実施形態を説明する。以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本発明の範囲に含まれる。
【実施例１】
【００３０】
図１は、本発明の実施形態に係る録画再生装置が運用される環境を説明する説明図である。以下、本図を参照して説明する。
【００３１】
録画再生装置１０１は、テレビ局１０２から無線によりテレビジョン放送される番組を受信して、これを録画する。なお、有線テレビ局を用いる場合は、無線ではなく有線放送となるが、同様の技術を適用することができる。
【００３２】
録画された番組は、録画再生装置１０１に接続されたテレビジョン装置１０３に画面表示することとして再生される。また、音声出力もテレビジョン装置１０３を用いるのが一般的であるが、別途接続されたステレオ再生装置を用いる場合もある。
【００３３】
また、録画再生装置１０１は、インターネット１０４等の有線もしくは無線のコンピュータ通信網を介して、メタデータサーバ１０５に通信可能に接続される。メタデータサーバ１０５は、番組情報サーバとして機能する。
【００３４】
メタデータサーバ１０５には、以下のような情報が登録され、録画再生装置１０１から要求があると、これに応じた情報を録画再生装置１０１に提供する。また、これらの情報は、別途提供されるＥＰＧやｉＥＰＧ等で用いられるものと共通化することも可能である。
（１）番組を識別するための番組ＩＤ。
（２）番組がテレビジョン放送された時間帯、チャンネル等。
（３）番組内でコマーシャルが放送された時間帯。
（４）番組内のインデックスの見出しと位置。たとえば、番組が野球中継である場合、回の裏表が代わったり、投手や打者が交替するごとに、見出しとなる文字列が割り振られる。
（５）インデックスに対応付けられるコマーシャル情報。番組とともにテレビジョン放送されるコマーシャル映像に差し替えて使うためのものである。
【００３５】
番組の内容が事前にわかっている場合には、これらの情報は、当該番組のテレビジョン放送完了前にメタデータサーバ１０５に登録することが可能である。たとえば、地上波ディジタル放送の場合では、メタデータサーバ１０５を介さずに、テレビ局からテレビジョン放送の電波によってこれらの情報を提供することも可能である。
【００３６】
しかしながら、生放送の場合や野球放送のように時間延長がある場合、特別番組が組まれた場合等、放送中〜放送完了後でないと、これらの情報を完成させることができない場合がある。
【００３７】
そこで、本実施形態では、これらの情報は、各番組ごとに、放送完了後第１の時間が経過した後には、すべて登録されるものとする。典型的には、番組放送完了後１時間経過するまでには、すべての情報が登録される。
【００３８】
なお、上記実施形態では、インターネット１０４等を介してメタデータサーバ１０５にアクセスして番組情報を取得するが、地上波ディジタル放送などの無線放送を用いることも不可能ではない。この場合、ある番組放送完了後第１の時間が経過した後に、当該番組の番組情報を、他の番組とともに同時にテレビジョン放送するのである。このような態様も、本発明の範囲に含まれる。
【００３９】
図２は、本実施形態に係る録画再生装置の概要構成を示す模式図である。図３は、当該録画再生装置にて実行される録画処理の典型的な制御の流れを示すフローチャートである。以下、これらの図を参照して説明する。
【００４０】
上記のように、録画再生装置１０１は、テレビジョン放送（有線放送によるものを含む。）される番組に対して、当該番組内でテレビジョン放送された広告情報の位置情報と、当該番組の断片の内容を表す見出し情報と当該断片の位置情報と、当該広告情報にかえて利用する代替情報と、を、当該番組のテレビジョン放送が完了し第１の時間が経過するまでに登録し、要求に応じて、当該登録された情報を提供する番組情報サーバと通信する。上記のように、メタデータサーバ１０５が番組情報サーバとして機能することとなる。
【００４１】
さて、録画再生装置１０１は、受信録画部２０２、情報取得部２０３、選択受付部２０６、断片再生部２０４、番組再生部２０５を備える。これらは、既存のハードディスクレコーダ同様の構成要素によって実現される。
【００４２】
まず、受信録画部２０２が、テレビジョン放送される番組を受信して録画する（ステップＳ３０１）。当該受信ならびに録画は、利用者の指示によって開始されることとしても良いし、予約による録画としても良いし、ハードディスク等の記録媒体の容量が番組を録画しておくのに十分であれば、テレビジョン放送されるすべての番組を受信録画することとしても良い。
【００４３】
番組の受信および録画は、既存のハードディスクレコーダと同様に実現される。典型的には、ＣＰＵ（Central Processing Unit）の制御の元、テレビジョン放送された番組の画像および音声情報が画像処理プロセッサ等によって符号化・圧縮されてハードディスク等に映像ファイルとして記録される。
【００４４】
ついで、録画された番組ごとに、録画された番組のテレビジョン放送が完了してから第２の時間が経過したかどうかを判定する（ステップＳ３０２）。まだ経過していない場合（ステップＳ３０２；Ｎｏ）、待機して（ステップＳ３０３）、ステップＳ３０２に戻る。ステップＳ３０３の待機中には、他の処理を行ったり、録画再生装置１０１を省電力モードに移行したり等、種々の機能を果たすように構成することができる。
【００４５】
上記第２の時間は、典型的には第１の時間より長いことが望ましい。また、番組情報サーバへのアクセスが過多になるのを防止するため、第１の時間より長い定数にあるアルゴリズムにより生成される乱数を加算した値を採用することとしても良い。
【００４６】
番組放送完了から第２の時間が経過した後（ステップＳ３０２；Ｙｅｓ）、情報取得部２０３は、番組情報サーバに、当該番組に対して登録された情報を要求して取得して（ステップＳ３０４）、本処理を終了する。
【００４７】
ここで、要求の際には、予約録画等の際に用いた番組ＩＤを通知するか、あるいは、録画された番組の放送時間帯（録画を行った時間帯）およびテレビジョン放送がされていたチャンネルを通知するものとする。
【００４８】
すると、番組情報サーバは、これらの情報から当該番組に関する以下のような情報を、上記のように、情報取得部２０３に応答として返すのである。
（ａ）当該番組においてコマーシャルが放送された時間帯。当該時間帯以外は、番組本体が放送されたことになる。
（ｂ）番組本体における見出し情報。たとえば野球番組の場合、見出し情報には、投手が交替したり打順が回ってきた時点やその選手の氏名等、回の表裏がかわった時点やその回数および表裏などが含まれる。
（ｃ）テレビジョン放送されたコマーシャルに差し替えて再生するコマーシャルの映像情報や文字情報、音声情報等。見出しごとにこれらの映像情報、文字情報、音声情報との対応付けを変更しても良い。以下では、これらを「見出し対応コマーシャル」と呼ぶこととする。
【００４９】
このようにして取得された各種の情報もまた、ハードディスク等の記録媒体に記録される。
【００５０】
なお、番組情報サーバに情報を要求しても応答がなかった場合は、所定の時間をおいて試行を繰り返しても良いし、利用者の明示的な指示によって後で要求を行うこととしても良いが、理解を容易にするため、当該処理については、本図での図示を省略している。
【００５１】
図４は、本実施形態に係る録画再生装置が、ユーザからの指示によって録画された番組の再生を行う場合の再生処理の典型的な制御の流れを示すフローチャートである。以下、本図を参照して説明する。
【００５２】
本処理が開始されると、録画再生装置１０１は、録画された番組に対して登録された情報が取得されているか否かを調べる（ステップＳ４０１）。取得されている場合（ステップＳ４０１；Ｙｅｓ）、選択受付部２０６は、当該番組の見出し情報をハードディスク等から読み出して表示し（ステップＳ４０２）、いずれかの見出し情報を選択するように利用者に促して選択入力を受け付ける（ステップＳ４０３）。
【００５３】
そして、断片再生部２０４は、録画された番組のうち、受け付けられた選択入力に対応付けられる見出し情報に対応する断片の再生を行うこととなるが、ここでいう「断片」とは、実施態様により、番組のうち、以下のいずれかの部分をいうものとすることができる。
（ａ）当該見出しの位置から当該番組の次の見出しの位置までの放送内容。
（ｂ）当該見出しの位置から当該見出しに割り当てられた時間長の放送内容。この場合、当該時間長は、当該見出し情報に付随して提供されるものとする。
（ｃ）当該見出しの位置から、番組が完了するまでの放送内容。
【００５４】
さて、この断片の再生の際には、まず、選択された見出し情報に対応付けられる見出し対応コマーシャルを取得する（ステップＳ４０４）。見出し対応コマーシャルは、典型的には、前述のようにハードディスク等にダウンロードされることとなるが、ストリーミング再生等を用いることも可能である。この場合は、見出し対応コマーシャルとして、ストリーミングの取得先ＵＲＬ（Unifrom Resource Locator）をあらかじめダウンロードすることとし、ここで、当該ＵＲＬが取得されることとしても良い。
【００５５】
つぎに、再生すべき断片のうち、テレビジョン放送時にコマーシャルが放送された位置がいずれであるかを調べる（ステップＳ４０５）。
【００５６】
そして、断片再生部２０４が、当該断片の再生を開始するが（ステップＳ４０６）、再生が進んでコマーシャルが放送された位置に至ったか否かを調べ（ステップＳ４０７）、至ったら（ステップＳ４０７；Ｙｅｓ）、断片の再生は一時停止して見出し対応コマーシャルの再生を行い（ステップＳ４０８）、その後に、断片のうちテレビジョン放送の際に再生されたコマーシャルをスキップして、続きの再生を行い（ステップＳ４０９）、断片の再生が完了するまで（ステップＳ４１０）、これを繰り返す。
【００５７】
一方、見出し情報等が取得できていないと判断された場合（ステップＳ４０１；Ｎｏ）には、番組再生部２０５が、録画された番組全体を順に最後まで再生する（ステップＳ４１１）。この場合には、コマーシャルの差替は行わない。なお、通常のハードディスクレコーダのコマーシャルスキップ再生機能がステップＳ４１１において利用できるようにしても良い。また、ステップＳ４０３において「見出しを使わずに番組全体を再生する」旨も選択できることとし、これが選択された場合にはステップＳ４１１に進むようにしても良い。
【００５８】
このように、本実施形態では、適切にコマーシャルの差替を行うような録画再生装置を実現することができる。なお、上記実施形態では、見出しごとに代替情報となるコマーシャルを対応付けることとしているが、この単位は任意であり、差替用コマーシャルが録画再生装置１０１の利用時間帯や利用者層などの種々の外的な情報によって決定されるようにしても良い。
【実施例２】
【００５９】
上記実施形態では、見出し再生を行う場合には、テレビジョン放送されたコマーシャルを見出し対応コマーシャルに差し替えて再生することとしていたが、見出し対応コマーシャルの再生手法としてはほかに以下のようなものを採用することができる。
【００６０】
番組本体を再生する時間と見出し対応コマーシャルを再生する時間とを順に並べるのではなく、番組本体を連続して再生することとして、見出し対応コマーシャルは、番組本体にスーパーインポーズ等して提示するものである。
【００６１】
たとえば野球中継を考えた場合、野球の試合の途中にコマーシャルが挿入されるのが通例であるが、見出し再生を行った場合には、野球の試合の再生は連続して（放送されたコマーシャルはスキップして）行われる。そして、見出し対応コマーシャルは、画面下部や画面右端、画面左端などの、コマーシャル専用領域に表示するのである。
【００６２】
見出し対応コマーシャルが再生されている間は、番組本体は画面内で縮小表示再生することとしても良いし、通常の大きさで再生し見出し対応コマーシャルがその一部を隠すような手法を採用しても良い。
【００６３】
このように、「コマーシャルの差し替え」の手法としては、番組本体の間に挟まれるコマーシャルを見出し対応コマーシャルに差し替える手法の他、見出しを使用した場合に再生冒頭に必ず見出し対応コマーシャルが再生されその後に番組の断片が再生される手法、番組の断片と見出し対応コマーシャルとで画面の領域を分割して再生する手法等、種々の技術が採用できる。
【００６４】
このような手法を採用することにより、利用者が録画番組の視聴に要する時間を短縮する一方で、適切に広告を提供することができるようになる。
【産業上の利用可能性】
【００６５】
以上説明したように、本発明によれば、テレビジョン放送された番組を録画して再生する際に、コマーシャル映像等の広告情報を適切に差し替えて再生するのに好適な録画再生装置、録画再生方法、これらをコンピュータにて実現するプログラムを提供することができる。
【図面の簡単な説明】
【００６６】
【図１】本発明の実施形態に係る録画再生装置が運用される環境を説明する説明図である。
【図２】本実施形態に係る録画再生装置の概要構成を示す模式図である。
【図３】当該録画再生装置にて実行される録画処理の典型的な制御の流れを示すフローチャートである。
【図４】当該録画再生装置にて実行される再生処理の典型的な制御の流れを示すフローチャートである。
【符号の説明】
【００６７】
１０１  録画再生装置
１０２  テレビ局
１０３  テレビジョン装置
１０４  インターネット
１０５  メタデータサーバ
２０２  受信録画部
２０３  情報取得部
２０４  断片再生部
２０５  番組再生部
２０６  選択受付部
【図１】
2006054773.tif 000003
【図２】
2006054773.tif 000004
【図３】
2006054773.tif 000005
【図４】
2006054773.tif 000006